(57)【要約】【課題】既存の木製足場板や鋼製板などを幅木として、仮設足場の鋼管に対し、簡単に取り付けることができ、安価に製造が可能な幅木用クランプを提供する。【解決手段】幅木を保持する幅木保持部３が鋼管の外周に外嵌されて楔部材５によりクランプするクランプ本体１の端部に固定される。クランプ本体１には平面を略Ｕ字状に形成された管クランプ部３の開口側の一方の直線部２３に管クランプ部２の平面と平行に第１スリット２４が楔部材５を挿入可能に貫設される。他方の直線部２６には第２スリット２５が楔部材５を挿入可能に貫設される。管クランプ部２の内部に鋼管を挿入した状態で、楔部材５を第１スリット２４から第２スリット２５に挿入し、楔部材５の末端部を強打してクランプ本体１を鋼管に対しクランプする。【選択図】図１
0003159250.tif 000002
【実用新案登録請求の範囲】
【請求項１】
幅木を仮設足場の鋼管に対し取り付ける幅木用クランプにおいて、
該幅木を保持する幅木保持部が、該鋼管の外周に外嵌されて楔部材によりクランプするクランプ本体の端部に固定され、
該クランプ本体には、平面を略Ｕ字状に形成された管クランプ部の開口側の一方の直線部に、該管クランプ部の平面と平行に第１スリットが該楔部材を挿入可能に貫設される一方、該他方の直線部に、該管クランプ部の平面と平行に第２スリットが該楔部材を挿入可能に貫設され、
該管クランプ部の内部に該鋼管を挿入した状態で、該楔部材を該第１スリットから第２スリットに挿入し、
該楔部材の末端部を強打して該クランプ本体を該鋼管に対しクランプし、該幅木を該クランプ本体の該幅木保持部に保持させることを特徴とする幅木用クランプ。
【請求項２】
前記楔部材は平板状の鋼板を略台形に裁断して形成され、
該楔部材の先端部近傍と末端部近傍に抜け止め突起が設けられ、
前記第１スリットに該楔部材を挿入した状態で、該抜け止め突起が該第１スリットの縁部に干渉して、該楔部材が第１スリットからの脱抜を阻止するように、該第１スリットの厚さ寸法が該抜け止め突起の厚さ寸法より小さく形成され、
前記第２スリットの厚さ寸法は該楔部材の先端部近傍の突起を通過可能に該抜け止め突起の厚さ寸法より大きく形成されたことを特徴とする請求項１記載の幅木用クランプ。
【請求項３】
前記幅木保持部が鋼板を略Ｌ字状に曲折して形成され、該幅木保持部に釘や針金を通すための貫通孔が設けられたことを特徴とする請求項１または２記載の幅木用クランプ。
【考案の詳細な説明】
【技術分野】
【０００１】
本考案は、建築工事現場、土木工事現場などで使用される仮設足場において、その仮設足場上の布板に沿って取り付けられる幅木用の幅木用クランプに関する。
【背景技術】
【０００２】
鋼管を用いて建築工事現場などに組み立てられる仮設足場には、周知のように、作業者の足場として、通常、布板が水平に組み付けられ、作業者がその上を歩き、或いは工具類を載せることができるようになっている。
【０００３】
また、このような布板から作業者の落下や工具類の落下を防止するために、布板の側端部に、その長手方向に沿って幅木を取り付けることが要請されている。
【０００４】
そこで、従来、布板の側端部に長手方向に沿って取り付けられる仮設足場用幅木が下記特許文献１などにより提案されている。
【先行技術文献】
【特許文献】
【０００５】
【特許文献１】特開２００７−１２００６５号公報
【考案の概要】
【考案が解決しようとする課題】
【０００６】
従来のこの種の仮設足場用幅木は、布板の側端部に長手方向に沿って固定されるように構成され、その位置で布板に対し垂直に固定できるものの、幅木の取付位置には、２個のフック部材が固定ボルトにより固定可能に設けられている。
【０００７】
そして、幅木を布板の側端部に固定する場合、２個のフック部材の固定ボルトを緩めた状態で、フック部材の下部に突出したフックを布板の側端部に係止させ、その状態でフック部材の上部から下部のフックに向けて捻じ込まれた固定ボルトを締め付けることにより、フックを上昇させ、フックと幅板の下縁部間で布板の縁部を挟持するように固定していた。
【０００８】
しかし、このような幅木には予めフック部材が取り付けられるため、使用者は専用の幅木を必要とし、また、金属加工により形成されるフック部材と幅木の製作にはかなりの製造コストを必要としていた。加えて、施工時に幅木を固定する際には、固定ボルトを締め付ける必要があった。このため、既存の木製足場板や鋼製板などを幅木として取り付けることが可能で、且つ迅速に幅木をクランプすることができる幅木用クランプが要望されていた。
【０００９】
本考案は、上述の課題を解決するものであり、既存の木製足場板や鋼製板などを、幅木として布板の側端部位置に簡単に取り付けることができ、安価で且つ迅速に施工することが可能な幅木用クランプを提供することを目的とする。
【課題を解決するための手段】
【００１０】
本考案の請求項１の幅木用クランプは、
幅木を仮設足場の鋼管に対し取り付ける幅木用クランプにおいて、
該幅木を保持する幅木保持部が、該鋼管の外周に外嵌されて楔部材によりクランプするクランプ本体の端部に固定され、
該クランプ本体には、平面を略Ｕ字状に形成された管クランプ部の開口側の一方の直線部に、該管クランプ部の平面と平行に第１スリットが該楔部材を挿入可能に貫設される一方、該他方の直線部に、該管クランプ部の平面と平行に第２スリットが該楔部材を挿入可能に貫設され、
該管クランプ部の内部に該鋼管を挿入した状態で、該楔部材を該第１スリットから第２スリットに挿入し、
該楔部材の末端部を強打して該クランプ本体を該鋼管に対しクランプし、該幅木を該クランプ本体の該幅木保持部に保持させることを特徴とする。
【００１１】
この考案によれば、先ず、仮設足場上の布板に沿ってその側端部に幅木を位置させながら、幅木を仮設足場の複数の水平鋼管上と複数の縦鋼管の間に支持させる。次に、仮設足場の複数の縦鋼管に対し、幅木用クランプを、略Ｕ字状の管クランプ部内に縦鋼管を挿入してセットすると共に、幅木の上端部に幅木保持部を押し付けて保持させる。その状態で、楔部材を管クランプ部の第１スリットから第２スリットに挿入し、管クランプ部の開口部をその楔部材により閉鎖した状態で、楔部材の末端部をハンマーなどで強打し、楔部材の打ち込みにより縦鋼管に対しクランプ本体を固定する。
【００１２】
これにより、幅木用クランプは、その幅木保持部に幅木の上端部を保持させた状態で、その管クランプ部を縦鋼管に対し楔部材によりクランプさせ、楔部材を打ち込むのみという簡単な操作で、幅木を仮設足場に固定することができる。
【００１３】
また、幅木を仮設足場から外す場合、楔部材の先端部をハンマーなどで楔部材を抜く方向に打てば、楔部材を簡単に外し、幅木用クランプを鋼管から簡単に外して、幅木保持部を幅木から外すことができる。さらに、この幅木用クランプは、略Ｕ字状の管クランプ部に幅木保持部を固定し、管クランプ部に設けた第１・第２スリットに楔部材を挿入するだけの簡単な構成を採用するので、安価に製造することができる。
【００１４】
請求項２の考案は、上記請求項１の幅木用クランプにおいて、
前記楔部材が平板状の鋼板を略台形に裁断して形成され、
該楔部材の先端部近傍と末端部近傍に抜け止め突起が設けられ、
前記第１スリットに該楔部材を挿入した状態で、該抜け止め突起が該第１スリットの縁部に干渉して、該楔部材が第１スリットからの脱抜を阻止するように、該第１スリットの厚さ寸法が該抜け止め突起の厚さ寸法より小さく形成され、
前記第２スリットの厚さ寸法が該楔部材の先端部近傍の突起を通過可能に該抜け止め突起の厚さ寸法より大きく形成されたことを特徴とする。
【００１５】
この請求項２の考案によれば、鋼板を裁断するのみで楔部材を簡単に且つ安価に形成できると共に、幅木用クランプの非使用時には、楔部材をクランプ本体の管クランプ部の第１スリット内に挿入した状態で保持させるので、クランプ本体と楔部材をばらばらにすることなく容易に管理することができ、また、使用時においても、楔部材が必要な箇所に保持されるので簡便に使用することができる。
【００１６】
請求項３の考案は、上記請求項１の幅木用クランプにおいて、上記幅木保持部が鋼板を略Ｌ字状に曲折して形成され、該幅木保持部に釘や針金を通すための貫通孔が設けられたことを特徴とする。
【００１７】
この請求項３の考案によれば、簡単な構造の幅木保持部であっても、木製足場板、鋼製板などを釘や針金を用いてさらに確実に幅木保持部に固定挟持させることができる。
【考案の効果】
【００１８】
本考案の幅木用クランプによれば、既存の木製足場板や鋼製板などを、幅木として布板の側端部位置に簡単に取り付けることができ、簡単な構成によって安価に製造することができ、また迅速に施工することができる。
【図面の簡単な説明】
【００１９】
【図１】本考案の一実施形態を示す幅木用クランプの正面図である。
【図２】同幅木用クランプの右側面図である。
【図３】同幅木用クランプの左側面図である。
【図４】同幅木用クランプの平面図である。
【図５】使用形態を示す幅木用クランプの平面図である。
【図６】使用形態を示す幅木用クランプの左側面図である。
【考案を実施するための形態】
【００２０】
以下、本考案の一実施形態を図面に基づいて説明する。この幅木用クランプは、仮設足場上の布板に沿って取り付けられる幅木を固定保持するために使用されるクランプであり、仮設足場の縦鋼管Ｋに対し楔部材５を用いてクランプされ、そのクランプ本体１の正面側に幅木保持部３が固定され、その幅木保持部３により、幅木Ｈを保持するように構成される。
【００２１】
この幅木用クランプは、基本的には、図１〜図４に示すように、幅木Ｈを保持する幅木保持部３が、鋼管の外周に外嵌されて楔部材５によりクランプするクランプ本体１の端部に固定され、クランプ本体１には、平面を略Ｕ字状に形成された管クランプ部２の開口側の一方の直線部２３（図４の右側部分）に、管クランプ部２の平面と平行に第１スリット２４が楔部材５を挿入可能に貫設され、他方の直線部２６（図４の左側部分）に、管クランプ部２の平面と平行に第２スリット２５が楔部材５を挿入可能に貫設されて構成される。
【００２２】
クランプ本体１の管クランプ部２は、図４に示すように、平面を略Ｕ字状として形成され、背面側の端部が開口部２２として開口し、その開口部２２の奥に円弧部２１が形成される。縦鋼管Ｋをクランプする場合、円弧部２１の内壁に縦鋼管Ｋを当接させ、第１スリット２４、第２スリット２５に挿入した楔部材５を図４の左方向に打ち込み、縦鋼管Ｋをクランプするようになっている。
【００２３】
楔部材５は、例えば厚さ３ｍｍ程度の鋼板を略台形に裁断して平板状に形成され、スリットに打込んでクランプした際、充分な強度を持ってクランプ可能に形成されている。また、楔部材５は、クランプ時、第１スリット２４から第２スリット２５に、つまりクランプ本体１の右側から左側に挿入されるが、非使用時には楔部材５をクランプ本体１に付してその脱抜を防止するために、図１〜図３に示すように、楔部材５の先端部と末端部に、抜け止め突起１５，１６が突設される。この抜け止め突起１５，１６により楔部材５は、図４の如く、直線部２３内の第１スリット２４に挿入された状態で抜け落ちることなく保持されるようになっている。
【００２４】
つまり、管クランプ部２の直線部２３，２６内に形成される第１スリット２４の厚さ寸法ａは、抜け止め突起１５，１６の厚さ寸法ｂより小さく、第２スリット２５の厚さ寸法ｃは抜け止め突起１５，１６の厚さ寸法ｂより大きく形成されている。また、第１スリット２４の厚さ寸法ａ及び第２スリット２５の厚さ寸法ｃは、楔部材５を挿入可能なように、楔部材５の厚さ寸法より大きく形成されている。したがって、楔部材５は、抜け止め突起１５，１６により、第１スリット２４に挿入された状態で抜け落ちることなく保持され、クランプ時には楔部材５の先端部を他方の直線部２６内の第２スリット２５に挿入することができる。
【００２５】
なお、図３に示すように、第２スリット２５は、先端側ほどその厚さ寸法が大きく、末端側ほどその厚さ寸法が小さくテーパー状に形成され、上記第２スリット２５の厚さ寸法ｃは中間部の厚さ寸法となっているが、第２スリット２５の厚さ寸法は直線部２６の全体を通して一定の厚さ寸法ｃとすることもできる。
【００２６】
また、図２，３に示す如く、第１スリット２４及び第２スリット２５は、クランプ本体１の略Ｕ字状の管クランプ部２における図４の右側から、楔部材５を挿入するように、管クランプ部２の右側面及び左側面に開口し、管クランプ部２の正面側と背面側つまり直線部２３，２６の先端側（背面側）は、閉鎖部により閉じられている。この直線部２３，２６の先端側（背面側）における閉鎖部内壁には、図４，５のように、当接部２４ａ、２５ａが形成され、楔部材５を第１スリット２４から第２スリット２５に打ち込んだとき、楔部材５の背面側の縁部がこの当接部２４ａ、２５ａに当接し、鋼管をクランプする構造となっている。
【００２７】
さらに、上記構成のクランプ本体１の管クランプ部２の正面側には、鋼板を直角に曲げて側面を略Ｌ字状とした幅木保持部３が溶接などで固定され、図６に示すように、水平鋼管上に横方向に立てて載置された幅木Ｈを、上から押さえるように保持する構造となっている。また、この幅木保持部３には、図１に示すように、複数の貫通孔４が設けられ、幅木を保持したとき、釘や針金などをその貫通孔４に挿通し、幅木を釘や針金等で固定するようにしている。
【００２８】
このような構成の幅木用クランプは、建築工事現場、土木工事現場などで使用される仮設足場において、幅木Ｈを仮設足場上の布板に沿って取り付けるために使用される。
【００２９】
図５、６に示すように、仮設足場における縦鋼管Ｋに幅木用クランプのクランプ本体１をクランプして取り付けられ、仮設足場の布板（図示せず）を水平に支持する水平鋼管上で、横方向に立てて載置された幅木Ｈの縁部を上から押さえるように保持する。
【００３０】
幅木用クランプにより幅木Ｈをクランプする場合、先ず、仮設足場上の布板に沿ってその側端部に幅木Ｈを横方向に立てて位置させながら、幅木Ｈを仮設足場の２本（複数本）の水平鋼管上と２本（複数本）の縦鋼管Ｋの間に立てかけるように支持させる。
【００３１】
次に、仮設足場の２本の縦鋼管Ｋに対し、クランプ本体１を、略Ｕ字状の管クランプ部２内に縦鋼管Ｋを挿入すると共に、幅木Ｈの上端部に幅木保持部３を押し付けて保持させる。その状態で、楔部材５を管クランプ部２の第１スリット２４から第２スリット２５に挿入し、管クランプ部２の開口部２２をその楔部材５により閉鎖した状態で、図５に示すように、楔部材５の末端部をハンマーなどで強打して打ち込む。この楔部材５の打ち込みにより、幅木用クランプのクランプ本体１は、縦鋼管Ｋを楔部材５と管クランプ部２内の円弧部２１間で強固に挟み付ける状態となり、縦鋼管Ｋに対しクランプ本体１が固定される。
【００３２】
これにより、幅木用クランプは、その幅木保持部３に幅木Ｈの上端部を保持させた状態で、その管クランプ部２を縦鋼管Ｋに対し楔部材５によりクランプさせ、ハンマーなどで楔部材５を打ち込むのみという簡単な操作で、幅木Ｈを仮設足場に固定することができる。このため、施工時の作業者は、ハンマー以外のレンチなどを持たずに作業することができる。この後、必要に応じて、幅木保持部３の貫通孔４に釘を打ち付け、或いは針金を貫通孔に通して幅木Ｈを針金で巻き付けて固定することとなる。
【００３３】
一方、幅木Ｈを仮設足場から外す場合は、楔部材５の先端部をハンマーなどで楔部材５を抜く方向に打てば、楔部材５を管クランプ部２から外し、幅木用クランプを縦鋼管Ｋから外して、幅木保持部３を幅木Ｈから簡単に外すことができる。
【００３４】
このように、上記幅木用クランプは、その幅木保持部３に幅木Ｈの上端部を保持させた状態で、その管クランプ部２を縦鋼管Ｋに対し楔部材５によりクランプさせ、楔部材５を打ち込むのみという簡単な操作で、幅木Ｈを仮設足場に固定することができる。
【００３５】
また、幅木Ｈを仮設足場から外す場合、楔部材５の先端部をハンマーなどで楔部材を抜く方向に打てば、楔部材５を簡単に外し、幅木用クランプを鋼管から簡単に外して、幅木保持部３を幅木から外すことができる。さらに、この幅木用クランプのクランプ本体１は、略Ｕ字状の管クランプ部２に幅木保持部３が固定され、管クランプ部２には第１スリット２４、第２スリット２５を設け、その第１・第２スリット２４，２５内に楔部材５を挿入するだけの簡単な構造のため、幅木用クランプを少ない加工工数で安価に製造することができる。
【００３６】
なお、上記実施形態では、幅木保持部３を側面視略Ｌ字状に形成したが、側面視略コ字状に幅木保持部を形成し、コ字状の幅木保持部内に幅木を嵌入させるようにして保持することもできる。
【符号の説明】
【００３７】
１      クランプ本体
２      管クランプ部
３      幅木保持部
４      貫通孔
５      楔部材
１５    抜け止め突起
１６    抜け止め突起
２１    円弧部
２２    開口部
２３    直線部
２４    第１スリット
２５    第２スリット
２６    直線部
【図１】
0003159250.tif 000003
【図２】
0003159250.tif 000004
【図３】
0003159250.tif 000005
【図４】
0003159250.tif 000006
【図５】
0003159250.tif 000007
【図６】
0003159250.tif 000008